(57)【要約】本発明の液晶表示素子の駆動方法又は液晶表示装置は、複数の画素が形成された液晶表示素子を用い、１フレーム期間を複数の書き込み期間に分割するとともにゲート信号を出力して各書き込み期間中に画素を順次選択し、複数の書き込み期間に割り当てられた映像信号及び非映像信号を含むようにソース信号を構成し、選択された画素に該画素に対応するソース信号を極性を反転させながら書き込み、その書き込まれたソース信号に対応して画素毎に液晶の透過率が制御されることにより液晶表示素子の画面にソース信号に応じた画像が表示されるようにした液晶表示素子の駆動方法又は液晶表示装置において、非映像信号を次に書き込む映像信号と同じ極性で画素に書き込むものである。
2002097523.tif 000002
【特許請求の範囲】
【請求項１】
画面を構成する複数の画素が形成された液晶表示素子と、１フレーム期間を複数の書き込み期間に分割するとともにゲート信号を出力して各書き込み期間中に上記画素を順次選択するゲート駆動手段と、該複数の書き込み期間に割り当てられた映像信号及び非映像信号を含むようにソース信号を構成し、上記選択された画素に該画素に対応する該ソース信号を極性を反転させながら書き込むソース駆動手段とを備え、該書き込まれたソース信号に対応して上記画素毎に液晶の透過率が制御されることにより上記液晶表示素子の画面に該ソース信号に応じた画像が表示されるよう構成された液晶表示装置において、
上記ソース駆動手段は、上記非映像信号を次に書き込む上記映像信号と同じ極性で上記画素に書き込むものであることを特徴とする液晶表示装置。
【請求項２】
上記ソース駆動手段は、上記複数の書き込み期間のうち、少なくとも最後の書き込み期間に上記非映像信号を上記画素に書き込むものである請求の範囲第１項記載の液晶表示装置。
【請求項３】
上記ソース駆動手段は、上記複数の書き込み期間のうち、少なくとも最初の書き込み期間に上記非映像信号を上記画素に書き込むものである請求の範囲第１項記載の液晶表示装置。
【請求項４】
上記映像信号及び非映像信号は、１フレーム期間中極性が同じである請求の範囲第１項記載の液晶表示装置。
【請求項５】
上記ゲート駆動手段は、上記複数の書き込み期間のうち、少なくとも１つの書き込み期間において、複数の期間に渡って上記画素を選択するものであり、
上記ソース駆動手段は、該選択された画素に該複数の期間に渡って上記映像信号を書き込むものである請求の範囲第１項記載の液晶表示装置。
【請求項６】
上記複数の期間が連続している請求の範囲第５項記載の液晶表示装置。
【請求項７】
画面を構成する複数の画素が形成された液晶表示素子と、１フレーム期間を４以上の書き込み期間に分割するとともにゲート信号を出力して各書き込み期間中に上記画素を順次選択するゲート駆動手段と、該４以上の書き込み期間のうちの３つの書き込み期間にそれぞれ割り当てられた赤、緑、青の３色に対応する映像信号を含むようソース信号を構成し、上記選択された画素に該画素に対応する該ソース信号を極性を反転させながら書き込むソース駆動手段とを備え、該書き込まれたソース信号に対応して上記画素毎に液晶の透過率が制御されることにより上記液晶表示素子の画面に該ソース信号に応じたカラー画像が表示されるよう構成された液晶表示装置。
【請求項８】
上記ソース駆動手段は、上記赤、緑、青の３色に対応する映像信号を書き込む書き込み期間以外の書き込み期間に割り当てられた少なくとも１つの非映像信号を含むようソース信号を構成するものである請求の範囲第７項記載の液晶表示装置。
【請求項９】
上記ソース駆動手段は、上記４以上の書き込み期間のうち、少なくとも最後の書き込み期間に上記非映像信号を上記画素に書き込むものである請求の範囲第８項記載の液晶表示装置。
【請求項１０】
上記ソース駆動手段は、上記４以上の書き込み期間のうち、少なくとも最初の書き込み期間に上記非映像信号を上記画素に書き込むものである請求の範囲第８項記載の液晶表示装置。
【請求項１１】
上記ソース駆動手段は、上記映像信号を各映像信号毎に極性を反転させながら上記画素へ書き込むものである請求の範囲第７項記載の液晶表示装置。
【請求項１２】
画面を構成する複数の画素が形成された液晶表示素子と、１フレーム期間を３つの書き込み期間に分割するとともにゲート信号を出力して各書き込み期間中に上記画素を順次選択するゲート駆動手段と、該３つの書き込み期間にそれぞれ割り当てられた赤、緑、青の３色に対応する映像信号でソース信号を構成し、上記選択された画素に該画素に対応する該ソース信号を極性を反転させながら書き込むソース駆動手段とを備え、該書き込まれたソース信号に対応して上記画素毎に液晶の透過率が制御されることにより上記液晶表示素子の画面に該ソース信号に応じたカラー画像が表示されるよう構成された液晶表示装置において、
上記ソース駆動手段は、連続する少なくとも２つの上記映像信号を同じ極性で上記画素に書き込むものであることを特徴とする液晶表示装置。
【請求項１３】
上記映像信号は、各フレーム期間毎に極性が反転している請求の範囲第１２項記載の液晶表示装置。
【請求項１４】
上記複数の画素が行列状に形成され、上記ゲート駆動手段が上記複数の画素を行又は列毎に順次選択するものであり、上記ソース駆動手段が該行又は列毎に選択された画素に列又は行毎に各画素に対応するソース信号を順次書き込むものである請求の範囲第１、７、１２項のいずれかに記載の液晶表示装置。
【請求項１５】
画面を構成する複数の画素が形成された液晶表示素子を用い、１フレーム期間を複数の書き込み期間に分割するとともにゲート信号を出力して各書き込み期間中に上記画素を順次選択するゲート駆動ステップと、該複数の書き込み期間に割り当てられた映像信号及び非映像信号を含むようにソース信号を構成し、上記選択された画素に該画素に対応する該ソース信号を極性を反転させながら書き込むソース駆動ステップとを含み、該書き込まれたソース信号に対応して上記画素毎に液晶の透過率が制御されることにより上記液晶表示素子の画面に該ソース信号に応じた画像が表示されるようにした液晶表示素子の駆動方法において、
上記ソース駆動ステップは、上記非映像信号を次に書き込む上記映像信号と同じ極性で上記画素に書き込むものであることを特徴とする液晶表示素子の駆動方法。
【請求項１６】
上記ソース駆動ステップは、上記複数の書き込み期間のうち、少なくとも最後の書き込み期間に上記非映像信号を上記画素に書き込むものである請求の範囲第１５項記載の液晶表示素子の駆動方法。
【請求項１７】
上記ソース駆動ステップは、上記複数の書き込み期間のうち、少なくとも最初の書き込み期間に上記非映像信号を上記画素に書き込むものである請求の範囲第１５項記載の液晶表示素子の駆動方法。
【請求項１８】
上記映像信号は、１フレーム期間中極性が同じである請求の範囲第１５項記載の液晶表示素子の駆動方法。
【請求項１９】
上記ゲート駆動ステップは、上記複数の書き込み期間のうち、少なくとも１つの書き込み期間において、複数の期間に渡って上記画素を選択するものであり、
上記ソース駆動ステップは、該選択された画素に該複数の期間に渡って上記映像信号を書き込むものである請求の範囲第１５乃至１８項のいずれかに記載の液晶表示素子の駆動方法。
【請求項２０】
上記複数の期間が連続している請求の範囲第１９項記載の液晶表示素子の駆動方法。
【請求項２１】
画面を構成する複数の画素が形成された液晶表示素子を用い、１フレーム期間を４以上の書き込み期間に分割するとともにゲート信号を出力して各書き込み期間中に上記画素を順次選択するゲート駆動ステップと、該４以上の書き込み期間のうちの３つの書き込み期間にそれぞれ割り当てられた赤、緑、青の３色に対応する映像信号を含むようソース信号を構成し、上記選択された画素に該画素に対応する該ソース信号を極性を反転させながら書き込むソース駆動ステップとを含み、該書き込まれたソース信号に対応して上記画素毎に液晶の透過率が制御されることにより上記液晶表示素子の画面に該ソース信号に応じたカラー画像が表示されるよう構成した液晶表示素子の駆動方法。
【請求項２２】
上記ソース駆動ステップは、上記赤、緑、青の３色に対応する映像信号を書き込む書き込み期間以外の書き込み期間に割り当てられた少なくとも１つの非映像信号を含むようソース信号を構成するものである請求の範囲第２１項記載の液晶表示素子の駆動方法。
【請求項２３】
上記ソース駆動ステップは、上記４以上の書き込み期間のうち、少なくとも最後の書き込み期間に上記非映像信号を上記画素に書き込むものである請求の範囲第２２項記載の液晶表示素子の駆動方法。
【請求項２４】
上記ソース駆動ステップは、上記４以上の書き込み期間のうち、少なくとも最初の書き込み期間に上記非映像信号を上記画素に書き込むものである請求の範囲第２２項記載の液晶表示素子の駆動方法。
【請求項２５】
上記ソース駆動ステップは、上記映像信号を各映像信号毎に極性を反転させながら上記画素へ書き込むものである請求の範囲第２１項記載の液晶表示素子の駆動方法。
【請求項２６】
画面を構成する複数の画素が形成された液晶表示素子を用い、１フレーム期間を３つの書き込み期間に分割するとともにゲート信号を出力して各書き込み期間中に上記画素を順次選択するゲート駆動ステップと、該３つの書き込み期間にそれぞれ割り当てられた赤、緑、青の３色に対応する映像信号でソース信号を構成し、上記選択された画素に該画素に対応する該ソース信号を極性を反転させながら書き込むソース駆動ステップとを含み、該書き込まれたソース信号に対応して上記画素毎に液晶の透過率が制御されることにより上記液晶表示素子の画面に該ソース信号に応じたカラー画像が表示されるようにした液晶表示素子の駆動方法において、
上記ソース駆動ステップは、連続する少なくとも２つの上記映像信号を同じ極性で上記画素に書き込むものであることを特徴とする液晶表示素子の駆動方法。
【請求項２７】
上記映像信号は、各フレーム期間毎に極性が反転している請求の範囲第２６項記載の液晶表示素子の駆動方法。
【請求項２８】
上記複数の画素が行列状に形成され、上記ゲート駆動ステップが上記複数の画素を行又は列毎に順次選択するものであり、上記ソース駆動ステップが該行又は列毎に選択された画素に列又は行毎に各画素に対応するソース信号を順次書き込むものである請求の範囲第１５、２１、２６項のいずれかに記載の液晶表示素子の駆動方法。
【発明の詳細な説明】
〔技術分野〕
本発明は液晶表示素子の駆動方法及びこれを用いた液晶表示装置に関し、特に、高速応答特性や広視野角特性を有する液晶モードを利用したものに関する。
〔技術背景〕
薄膜トランジスタ（ＴＦＴ：Ｔｈｉｎ  Ｆｉｌｍ  Ｔｒａｎｓｉｓｔｏｒ）を用いたアクティブマトリクス型液晶ディスプレイは、薄型化、軽量化、及び低電圧駆動が可能であるなどの長所によりカムコーダ用のディスプレイ、パーソナルコンピュータ、パーソナルワードプロセッサのディスプレイなど種々の分野へ利用されており、大きな市場を形成している。
特に近年では、従来のパソコン等における静止画表示に加えて、動画表示やテレビの用途への利用が広がりつつあり、こうした動画表示に適した液晶表示装置への需要が高まってきている。これに対応し、動画表示に必要な高速応答性能を向上させる液晶素子として、ベンド配向させた液晶表示素子が特開平７−８４２５４号公報等において提案されている。このベンド配向させた液晶表示素子は、電圧の変化に対する液晶の変化が早く、高速応答を実現できるとされている。このベンド配向状態は、スプレイ配向と呼ばれる初期配向状態に電圧を印加することによって、その配向を転移させて形成することができるが、液晶に加えられる電圧が一定値以下になると逆にスプレイ配向状態に戻ってしまうという課題があった。この課題に対し、本件出願人が先に出願した特許出願（特願平２０００−２１４８２７（未公開））には、ベンド配向状態からスプレイ配向状態に逆転移するのを防止するために、映像信号電圧とは別の信号電圧を液晶に加える液晶表示素子の駆動方法が提案されている。
また、特開平１１−１０９９２１号公報には、映像信号中に挿入された非画像信号によるブランキング画像を表示させ、それによって、液晶特有の動画に対する画像のぼけを低減する液晶表示素子の駆動方法が提案されている。
この従来の液晶表示素子の駆動方法を図面を用いて説明する。第１２図は、従来の液晶表示素子の駆動方法におけるゲート信号及びソース信号の内容を示すタイミングチャートであって、第１２図（ａ）はゲート信号を示すグラフ、第１２図（ｂ）はソース信号を示すグラフである。
第１２図（ａ），（ｂ）において、各ゲート線には、順次、ゲート信号Ｓｇ１〜Ｓｇｅｎｄによってゲートオン電圧Ｖｇｏｎが印加され、それにより、各画素毎に設けられたスイッチング素子がＯＮ状態となる。そして、このタイミングに合わせて各ソース線から各画素にソース信号Ｓｓｎが供給され、各画素における画素電極と対向電極との電位差がそのソース信号Ｓｓｎによって印加される電圧に応じたものとなる。以下、このようにある画素における画素電極と対向電極との電位差がソース信号Ｓｓｎによって所定の電圧になることを、その画素にそのソース信号が書き込まれると表現する。この時、各ゲート線には１フレーム期間Ｐｏ，Ｐｅ中に２回ゲートオン電圧Ｖｇｏｎが印加され、１回目にはソース信号Ｓｓｎとして映像信号１０１が、２回目にはソース信号Ｓｓｎとして非映像信号１０２がソース線からそれぞれ各画素に書き込まれる。この非映像信号１０２の書き込みにより、各画素において液晶がスプレイ配向に逆転移するのが防止される。
ところで、一般的に液晶表示装置では、液晶の焼き付き現象やイオンによる表示ムラの発生を抑制する目的で液晶表示素子を交流駆動している。このことから、上述のように奇数フレーム期間Ｐｏの２回目のゲートオン電圧Ｖｇｏｎ印加の際に非映像信号１０２を画素に書き込んだ後、次の偶数フレーム期間Ｐｅの１回目のゲートオン電圧Ｖｇｏｎ印加の際に極性を反転させた映像信号１０１を画素に書き込んでいる。このため、大きな電位差を伴う映像信号１０１の書き込みを行うことになり、画素電極の電位がその映像信号１０１に応じた電位まで十分に到達せず、その結果、表示のムラが発生するという課題があった。
また、今後、さらに液晶パネルの高解像度化が進むことによって、１回のソース信号Ｓｓｎの書き込みに割り当てることができる期間は益々短くなるため、そのような場合でも確実に信号を書き込めることが必要となってくる。
〔発明の開示〕
本発明は、上記のような課題に鑑みてなされたものであり、ベンド配向方式の液晶表示装置のように、１フレーム期間中に各画素に複数回の信号書き込みを行う場合に、映像信号を画素に迅速に書き込むことが可能な液晶表示素子の駆動方法及びこれを用いた液晶表示装置を提供することを第１の目的としている。
また、本発明は、高解像度化された場合でも、映像信号を画素に確実に書き込むことが可能な液晶表示素子の駆動方法及びこれを用いた液晶表示装置を提供することを第２の目的としている。
そして、これらの目的を達成するために、本発明に係る液晶表示素子の駆動方法又はこれを用いた液晶表示装置は、画面を構成する複数の画素が形成された液晶表示素子を用い、１フレーム期間を複数の書き込み期間に分割するとともにゲート信号を出力して各書き込み期間中に上記画素を順次選択するゲート駆動ステップ又は手段と、該複数の書き込み期間に割り当てられた映像信号及び非映像信号を含むようにソース信号を構成し、上記選択された画素に該画素に対応する該ソース信号を極性を反転させながら書き込むソース駆動ステップ又は手段とを含み、該書き込まれたソース信号に対応して上記画素毎に液晶の透過率が制御されることにより上記液晶表示素子の画面に該ソース信号に応じた画像が表示されるようにした液晶表示素子の駆動方法又は液晶表示素子において、上記ソース駆動ステップ又は手段は、上記非映像信号を次に書き込む上記映像信号と同じ極性で上記画素に書き込むものである。
かかる構成とすると、非映像信号の後に映像信号を画素に書き込む場合における電位差が小さくなるので、映像信号を画素に迅速に書き込むことができる。
この場合、上記ソース駆動ステップ又は手段は、上記複数の書き込み期間のうち、少なくとも最後の書き込み期間に上記非映像信号を上記画素に書き込むものであるとしてもよい。
また、上記ソース駆動ステップ又は手段は、上記複数の書き込み期間のうち、少なくとも最初の書き込み期間に上記非映像信号を上記画素に書き込むものであるとしてもよい。
また、上記映像信号及び非映像信号は、１フレーム期間中極性が同じであるとしてもよい。
かかる構成とすると、１フレーム期間内では映像信号及び非映像信号の振幅を小さくすることができるため、ソース信号の電位が各画素の目的とする信号電位へ到達する期間を短くできるとともに、ソース線における抵抗や寄生容量による信号遅延の影響を小さくすることができる。そのため、映像信号をさらに迅速に画素に書き込むことができる。また、ソース信号を供給するソース駆動手段の負荷を小さくすることができる。
また、上記ゲート駆動ステップ又は手段は、上記複数の書き込み期間のうち、少なくとも１つの書き込み期間において、複数の期間に渡って上記画素を選択するものであり、上記ソース駆動ステップ又は手段は、該選択された画素に該複数の期間に渡って上記映像信号を書き込むものであるとしてもよい。
かかる構成とすると、各画素への映像信号の書き込み期間を実質的に拡大することができるため、各画素に映像信号を確実に書き込むことができる。
この場合、上記複数の期間が連続しているものとしてもよい。
かかる構成とすると、映像信号の立ち下がり及び立ち上がり期間が減少するため、実質的な信号書き込み期間をさらに拡大できる。そのため、各画素に映像信号をより確実に書き込むことができる。
また、本発明に係る液晶表示素子の駆動方法及びこれを用いた液晶表示素子は、画面を構成する複数の画素が形成された液晶表示素子を用い、１フレーム期間を４以上の書き込み期間に分割するとともにゲート信号を出力して各書き込み期間中に上記画素を順次選択するゲート駆動ステップ又は手段と、該４以上の書き込み期間のうちの３つの書き込み期間にそれぞれ割り当てられた赤、緑、青の３色に対応する映像信号を含むようソース信号を構成し、上記選択された画素に該画素に対応する該ソース信号を極性を反転させながら書き込むソース駆動ステップ又は手段とを含み、該書き込まれたソース信号に対応して上記画素毎に液晶の透過率が制御されることにより上記液晶表示素子の画面に該ソース信号に応じたカラー画像が表示されるよう構成したものである。
かかる構成とすると、赤、緑、青の３色に対応する映像信号を書き込む書き込み期間以外の書き込み期間に、所要の電圧を有する信号を書き込むことにより、カラー表示可能な液晶表示素子又は液晶表示装置において、スプレイ配向へ逆転移するのを防止することができる。
この場合、上記ソース駆動ステップ又は手段は、上記赤、緑、青の３色に対応する映像信号を書き込む書き込み期間以外の書き込み期間に割り当てられた少なくとも１つの非映像信号を含むようソース信号を構成するものであるとしてもよい。
かかる構成とすると、効果的にスプレイ配向へ逆転移するのを防止することができる。
この場合、上記ソース駆動ステップ又は手段は、上記４以上の書き込み期間のうち、少なくとも最後の書き込み期間に上記非映像信号を上記画素に書き込むものであるとしてもよい。
また、上記ソース駆動ステップ又は手段は、上記４以上の書き込み期間のうち、少なくとも最初の書き込み期間に上記非映像信号を上記画素に書き込むものであるとしてもよい。
また、上記ソース駆動ステップ又は手段は、上記映像信号を各映像信号毎に極性を反転させながら上記画素へ書き込むものであるとしてもよい。
かかる構成とすると、液晶をより高周波で交流駆動することができるため、表示ムラをさらに低減することができる。
また、本発明に係る液晶表示素子の駆動方法又はこれを用いた液晶表示装置は、画面を構成する複数の画素が形成された液晶表示素子を用い、１フレーム期間を３つの書き込み期間に分割するとともにゲート信号を出力して各書き込み期間中に上記画素を順次選択するゲート駆動ステップ又は手段と、該３つの書き込み期間にそれぞれ割り当てられた赤、緑、青の３色に対応する映像信号でソース信号を構成し、上記選択された画素に該画素に対応する該ソース信号を極性を反転させながら書き込むソース駆動ステップ又は手段とを含み、該書き込まれたソース信号に対応して上記画素毎に液晶の透過率が制御されることにより上記液晶表示素子の画面に該ソース信号に応じたカラー画像が表示されるようにした液晶表示素子の駆動方法において、上記ソース駆動ステップ又は手段は、連続する少なくとも２つの上記映像信号を同じ極性で上記画素に書き込むものである。
かかる構成とすると、液晶を高周波で交流駆動することができるため、焼き付きや表示ムラ及びフリッカを低減することができる。
この場合、上記映像信号は、各フレーム期間毎に極性が反転しているものとしてもよい。
かかる構成とすると、さらに高周波駆動することができるため、表示ムラをさらに低減することができる。
また、上記の場合、上記複数の画素が行列状に形成され、上記ゲート駆動ステップ又は手段が上記複数の画素を行又は列毎に順次選択するものであり、上記ソース駆動ステップ又は手段が該行又は列毎に選択された画素に列又は行毎に各画素に対応するソース信号を順次書き込むものであるとしてもよい。
かかる構成とすると、簡単な構成で液晶表示素子を駆動することができる。
本発明の上記目的、他の目的、特徴、及び利点は、添付図面参照の下、以下の好適な実施態様の詳細な説明から明らかにされる。
〔発明を実施するための最良の形態〕
以下、本発明の実施の形態について、図面を参照しながら説明する。
実施の形態１
第１図は本発明の実施の形態１に係る液晶表示装置の制御系統の全体構成を示すブロック図である。
第１図に示すように、液晶表示装置１００は、液晶表示素子１と、ゲート駆動回路４と、ソース駆動回路６と、コントローラ８とを含んで構成されている。
液晶表示素子１は、周知のもので、本実施の形態では、アクティブマトリクスタイプのもので構成されている。この液晶表示素子１は、対向配置されたＴＦＴ基板（図示せず）と対向基板（図示せず）との間に液晶が配置されて構成されている。そして、ＴＦＴ基板の内面には、複数の画素電極２０２が行列状（以下、マトリクス状という）に形成され、そのマトリクス状の画素電極２０２の行及び列に対応するようにゲート線３及びソース線５が配設されている。液晶表示素子１の（正確には液晶セルの）厚み方向から見て個々の画素電極２０２が占める領域が各画素２をそれぞれ構成し、全ての画素２が占める領域が画面を構成している。そして、各画素電極２０２は、対応するゲート線３にそのゲートが接続されたスイッチング素子２０３を介して、対応するソース線５にそれぞれ接続されている。スイッチング素子２０３は、例えばＴＦＴで構成されている。また、各画素２には共通電極７ａがそれぞれ形成され、その全ての共通電極７ａが共通配線７によって相互に電気的に接続され接地されている。一方、対向基板の内面には、対向電極２０１が形成されている。符号Ｃｌｃは液晶容量を示す。また、符号Ｃｓｔは保持容量を示す。
コントローラ８は、外部から入力される映像信号をソース駆動回路６に供給するとともに、該ソース駆動回路６及びゲート駆動回路４に制御信号をそれぞれ出力して、それらがソース信号Ｓｓ１〜Ｓｓｅｎｄ及びゲート信号Ｓｇ１〜Ｓｇｅｎｄをそれぞれ生成して出力するよう該ソース駆動回路６及びゲート駆動回路４を制御する。ゲート駆動回路４は、ゲート線３を介して、該ゲート線３毎にゲート信号Ｓｇ１〜Ｓｇｅｎｄを各画素２のスイッチング素子２０３に送出して、これを順次オンさせる。ソース駆動回路６は、ソース線５を介して、該ソース線５毎にソース信号Ｓｓ１〜Ｓｓｅｎｄを各画素電極２０２に送出する。この際、各画素２のスイッチング素子２０３のオン動作にタイミングを合わせるようにしてソース信号Ｓｓ１〜Ｓｓｅｎｄを送出する。これにより、各画素電極２０２と対向電極２０１との間にそのソース信号Ｓｓ１〜Ｓｓｅｎｄに応じた電界が発生し、その発生した電界に応じて液晶の透過率が変化する。すると、図示されないバックライトから出射される光の輝度がこの透過率の変化に応じて変調され、それにより、液晶表示素子１の画面に、ソース信号Ｓｓ１〜Ｓｓｅｎｄに応じた画像が表示される。
次に、ゲート駆動回路４及びソース駆動回路６の構成を詳しく説明する。第２図（ａ），（ｂ）は、ゲート信号及びソース信号の内容を示すタイミングチャートであって、第２図（ａ）はゲート信号を示すグラフ、第２図（ｂ）はソース信号を示すグラフである。
第１図及び第２図（ａ），（ｂ）を参照すると、ソース駆動回路６は、本実施の形態の特徴である第２図（ｂ）に示すようなソース信号Ｓｓ１〜Ｓｓｅｎｄを生成して出力するよう構成されている。第２図（ｂ）には、ソース線５毎に出力されるソース信号Ｓｓ１〜Ｓｓｅｎｄのうち、任意の１つのソース信号Ｓｓｎを示しているが、他のソース信号もこのソース信号Ｓｓｎと同様である。このソース信号Ｓｓｎは、フレーム毎に区分されている。符号Ｐｏは奇数フレーム期間を、符号Ｐｅは偶数フレーム期間をそれぞれ示している。各フレーム期間Ｐｏ，Ｐｅは、１列の全画素２に映像信号を書き込むための第１の書き込み期間Ｐｏａと、同じく非映像信号を書き込むための第２の書き込み期間Ｐｏｂとの２つの書き込み期間に等分されている。そして、これに対応して、ソース信号Ｓｓｎは、第１の書き込み期間Ｐｏａが映像信号１０１で、第２の書き込み期間Ｐｏｂが非映像信号１０２でそれぞれ構成されている。さらに、第１の書き込み期間Ｐｏａ及び第２の書き込み期間Ｐｏｂは、１列の各画素２についてそれぞれ映像信号及び非映像信号を書き込むための期間（以下、画素書き込み期間という）Ｐｏａ’，Ｐｏｂ’に分割されている。そして、これに対応して、ソース信号Ｓｓｎは、各画素書き込み期間Ｐｏａ’，Ｐｏｂ’毎に所定の表示諧調に対応する電圧値を有するものとなっている。さらに、ソース信号Ｓｓｎは、液晶表示素子１を交流駆動するために極性が反転しているが、この極性は、画素書き込み期間Ｐｏａ’，Ｐｏｂ’毎、及びフレーム期間Ｐｏ，Ｐｅ毎に反転するとともに、映像信号１０１の書き込み期間である第１の書き込み期間Ｐｏａと非映像信号１０２の書き込み期間である第２の書き込み期間Ｐｏｂとの間でも反転している。従って、あるフレーム期間の非映像信号の書き込み期間（図ではＰｏｂ）と次のフレーム期間の映像信号の書き込み期間（図ではＰｅａ）とでは極性が同じになっている。ここで、ＶｓＢ（＋），ＶｓＢ（−）は黒表示に対応する電圧値、Ｖｓｕｐ（＋），Ｖｓｕｐ（−）は非映像信号の電圧値をそれぞれ示す。
一方、ゲート駆動回路４は、従来例と同様のゲート信号Ｓｇ１〜Ｓｇｅｎｄを生成して出力するよう構成されている。このゲート信号Ｓｇ１〜Ｓｇｅｎｄは、第２図（ａ）に示すように、Ｈｉｇｈレベル（以下、Ｈレベルという）時にＶｇｏｎ、Ｌｏｗレベル（以下、Ｌレベルという）時にＶｇｏｆｆの電圧となる２値信号であり、各々の対応する画素２の画素書き込み期間Ｐｏａ’，Ｐｏｂ’，Ｐｅａ’，Ｐｅｂ’にＨレベルとなり、それ以外の保持期間Ｐｏａ”，Ｐｏｂ”，Ｐｅａ”，Ｐｅｂ”にＬレベルとなる。従って、ゲート信号Ｓｇ１〜Ｓｇｅｎｄは、１フレーム期間Ｐｏ，Ｐｅ内に、第１の書き込み期間Ｐｏａ，Ｐｅａ及び第２の書き込み期間Ｐｏｂ，Ｐｅｂ内に各１度づつ、合計２度Ｈレベルになる。これにより、ゲート信号Ｓｇ１〜Ｓｇｅｎｄが出力されると、画素２のスイッチング素子２０３が、画素２の行毎に、順次、各画素書き込み期間Ｐｏａ’，Ｐｏｂ’，Ｐｅａ’，Ｐｅｂ’に渡ってオンされる。そして、そのオン期間内に各画素２に対応するソース信号Ｓｓ１〜Ｓｓｅｎｄの映像信号１０１及び非映像信号１０２がそれぞれ書き込まれる。
次に、以上のように構成された液晶表示装置の動作（液晶表示素子の駆動方法）を第１図〜第５図（ａ），（ｂ）を用いて説明する。第３図（ａ），（ｂ）は画素電極の電位の変化を示すグラフであって、第３図（ａ）は黒表示における変化を示すグラフ、第３図（ｂ）は白表示における変化を示すグラフ、第４図（ａ），（ｂ）は同じく画素電極の電位の変化を示すグラフであって、第４図（ａ）は黒表示から白表示に切り替る場合における変化を示すグラフ、第４図（ｂ）は従来例において黒表示から白表示に切り替る場合における変化を示すグラフ、第５図はある画素が黒表示から白表示に切り替る場合における液晶の輝度変化を示すグラフである。
本実施の形態では、ノーマリーホワイトモードとした。また、ゲート信号ＳｓｎのＨレベル時の電圧Ｖｇｏｎを１５Ｖ、Ｌレベル時の電圧Ｖｇｏｆｆを−１０Ｖに設定した。さらに、ソース信号Ｓｓｎの振幅を、対向電極２０１の電位に対し、非映像信号における電圧値Ｖｓｕｐ（＋），Ｖｓｕｐ（−）がそれぞれ＋６Ｖ、−６Ｖ、黒表示レベルＶｓＢ（＋），ＶｓＢ（−）がそれぞれ＋５Ｖ、−５Ｖ、白表示レベルＶｓＷ（＋），ＶｓＷ（−）が＋１Ｖ、−１Ｖ、１フレームの期間Ｐｏ，Ｐｅが１６．６ｍｓ（６０Ｈｚ）となるように設定した。また、ここでは、マトリクス状の画素２のうち、一行目の任意の画素２における応答を例示した。
第１図〜第５図（ａ），（ｂ）において、まず、液晶表示素子１のある画素２に黒表示をする場合を説明する。この場合、第３図（ａ）に示すように、奇数フレームＰｏの第１の書き込み期間Ｐｏａの画素書き込み期間Ｐｏａ’において、ソース信号Ｓｓｎの黒表示レベルの映像信号１０１が入力される。すると、画素電極２０２の電位は画素２の容量に応じた放電特性に従って、前フレーム期間の非映像信号１０２の電圧値Ｖｓｕｐ（＋）である＋６Ｖから黒表示レベルＶｓＢ（＋）である＋５Ｖに変化する。そして、保持期間Ｐｏａ”の間その値を維持する。次いで、第２の書き込み期間Ｐｏｂの画素書き込み期間Ｐｏｂ’において、非映像信号１０２が入力される。この場合、非映像信号１０２は、映像信号１０１とは極性が反対であるので、画素電極２０２の電位は＋５Ｖから非映像信号の電圧値Ｖｓｕｐ（−）である−６Ｖに変化する。そして、保持期間Ｐｏｂ”の間その値を維持する。次いで、次の偶数フレームＰｅの第１の書き込み期間Ｐｏａの画素書き込み期間Ｐｅａ’において、ソース信号ｓｓｎの白表示レベルの映像信号１０１が入力される。この場合、映像信号は、前のフレームの非映像信号１０２と極性が同じであるので、画素電極２０２の電位は、画素２の容量に応じた充電特性に従って、−６Ｖから白表示レベルＶｓＷ（−）である−５Ｖに変化する。そして、保持期間Ｐｅａ”の間その値を維持する。次いで、第２の書き込み期間Ｐｅｂの画素書き込み期間Ｐｅｂ’において、非映像信号１０２が入力される。この場合、非映像信号１０２は、映像信号１０１とは極性が反対であるので、画素電極２０２の電位は−５Ｖから非映像信号１０２の電圧値Ｖｓｕｐ（＋）である＋６Ｖに変化する。そして、保持期間Ｐｅｂ”（図示せず）の間その値を維持する。
以上のように、本実施の形態によれば、画素２に対し、非映像信号１０２が書き込まれた後、次のフレーム期間で映像信号１０１を書き込む時に極性が同じであることから、書き込むべき電位差を小さくすることができ、この具体例では、その電位差を１ｖ程度にすることができた。その結果、時間的に余裕を持って映像信号１０１の書き込みを行うことができた。
これを、第１３図に示す従来例と比較する。この従来例では、ゲート信号Ｓｇ１〜Ｓｇｅｎｄ及びソース信号Ｓｓｎの波形及び電位は本実施の形態と同じとした。その結果、黒表示を行うと、第１３図に示すように、奇数フレーム期間Ｐｏ及び偶数フレーム期間Ｐｅのいずれにおいても、非映像信号１０２を書き込んだ後、次のフレーム期間で映像信号１０１を書き込む時の電位差が１１Ｖ程度となり、黒表示を行うために必要な電位を画素電極２０２に十分に書き込むことができず、結果的に液晶表示装置に表示ムラが発生した。
なお、本実施の形態では、映像信号１０１を書き込んだ後、非映像信号１０２を書き込む時に、１１Ｖ程度の電位差に対して信号の書き込みを行う必要があるが、第３図（ａ）に示すように、問題なく書き込みが行えた。さらに、非映像信号１０２は、本来、逆転移防止を目的としているため、たとえ書き込み期間内に画素電極２０２の電位が所定電位まで遷移し切らなかったとしても、所定電位近傍の電位になっていれば、実用上問題は生じない。この意味で、本実施の形態で黒表示を行う場合は、二重に安全である。
次に、液晶表示素子１の画素２が白表示する場合を説明する。この場合、第３図（ｂ）に示すように、奇数フレームＰｏの第１の書き込み期間Ｐｏａの画素書き込み期間Ｐｏａ’において、ソース信号Ｓｓｎの白表示レベルの映像信号１０１が入力される。すると、画素電極２０２の電位は前のフレーム期間の非映像信号１０２の電圧値Ｖｓｕｐ（＋）である＋６Ｖから白表示レベルＶｓＷ（＋）である＋１Ｖに変化する。そして、保持期間Ｐｏａ”の間その値を維持する。次いで、第２の書き込み期間Ｐｏｂの画素書き込み期間Ｐｏｂ’において、非映像信号１０２が入力される。すると、画素電極２０２の電位は＋１Ｖから非映像信号１０２の電圧値Ｖｓｕｐ（−）である−６Ｖに変化する。そして、保持期間Ｐｏｂ”の間その値を維持する。次いで、次の偶数フレームＰｅの第１の書き込み期間Ｐｏａの画素書き込み期間Ｐｅａ’において、ソース信号Ｓｓｎの白表示レベルの映像信号１０１が入力される。すると、画素電極２０２の電位は−６Ｖから白表示レベルＶｓＷ（−）である−１Ｖに変化する。そして、保持期間Ｐｅａ”の間その値を維持する。次いで、第２の書き込み期間Ｐｅｂの画素書き込み期間Ｐｅｂ’において、非映像信号１０２が入力される。すると、画素電極２０２の電位は−５Ｖから非映像信号１０２の電圧値Ｖｓｕｐ（＋）である＋６Ｖに変化する。そして、保持期間Ｐｅｂ”（図示せず）の間その値を維持する。
以上に説明した白表示を行う場合は、本実施の形態にとって最悪条件の場合であるが、この場合でも、非映像信号１０２を書き込んでから次の映像信号１０１を書き込む時の電位差を５Ｖ程度にすることができ、問題なく信号の書き込みが行えた。
なお、白表示を行う場合は、液晶が緩和動作によって白表示状態に遷移することから応答速度が遅いため、黒表示を行う場合より小さい書き込み電位差であっても、液晶が白表示状態に遷移し切れない場合があるが、本実施の形態では、上述のように映像信号の書き込み電位差が、従来例の７Ｖ（第４図（ｂ）参照）より小さい５Ｖであるので、問題なく白表示を行うことができた。
また、第３図（ａ），（ｂ）において、画素２へソース信号Ｓｓｎを書き込んだ後、ゲート信号が立ち下がってスイッチング素子２０３がオフ状態となる瞬間にスイッチング素子２０３の容量と画素容量とのカップリングにより、実際には突き抜け電圧と呼ばれる画素電圧降下が発生するが、ここでは説明を容易にするため省略している。
次に、黒表示から白表示に切り替えて表示する場合を説明する。第４図（ａ），（ｂ）は黒表示から白表示に切り替わる場合における画素電極の電位の変化を示すグラフであって、第４図（ａ）は本実施の形態における変化を示すグラフ、第４図（ｂ）は従来例における変化を示すグラフである。
第４図（ｂ）に示すように、従来例では、黒表示から白表示へ切り替る時、前のフレーム期間（第４図（ｂ）では奇数フレーム期間Ｐｏ）の非映像信号１０２が次のフレーム期間（第４図（ｂ）では偶数フレーム期間Ｐｅ）の白表示の映像信号１０１と反対極性でかつ大きな電圧となって液晶に印加される。これに対し、本実施の形態では、黒表示から白表示へ切り替る時、前のフレーム期間（第４図（ａ）では奇数フレーム期間Ｐｏ）の非映像信号１０２が次のフレーム期間（第４図（ａ）では偶数フレーム期間Ｐｅ）の白表示の映像信号１０１と同極性でかつ大きな電圧となって液晶に印加される。従って、本実施の形態では、従来例に比べて、非映像信号１０２が映像信号１０１と同極性である分、液晶が速く動き、その結果、液晶の応答速度が向上する。この効果を第５図に示す。第５図は、黒表示から白表示に切り替わる場合における液晶表示装置の時間に対する輝度の変化を示すグラフである。第５図において、符号２１１は、本実施の形態による液晶表示装置の時間に対する輝度変化曲線を、符号２１２は、従来の液晶表示装置の時間に対する輝度変化曲線をそれぞれ示す。第５図によれば、本実施の形態による液晶表示装置の黒表示から白表示への切替に対する液晶の応答時間、すなわち、輝度が黒レベルから白レベルに遷移するのに要する時間τ１は、従来の液晶表示装置の液晶の応答時間τ２に比べて短くなっている。
以上のように、本実施の形態においては、全画面に渡ってムラのない液晶表示が可能となりかつ応答速度が向上する効果が得られた。
なお、映像信号１０１の書き込み時においては画素電極２０２の電位が目的とする電位まで達しなければそれが表示のムラとなって現れるのに対し、非映像信号１０２の書き込み時においては一定値以上の電圧が液晶に印加されれば、画素電極２０２の電位が設定電圧Ｖｓｕｐまで達しなくとも、逆転移防止の効果を十分得ることができる。またフレーム期間Ｐｅ，Ｐｏ毎に黒表示挿入を行うことによって動画のキレ感を出すことを目的にした場合でも、映像信号１０１の書き込み時に黒レベルが表示されていれば、黒挿入時の非映像信号１０２は正確に黒表示の電位に達していなくても十分な動画のキレ感を得ることができる。このため、設定電位Ｖｓｕｐを黒表示電位と同じに設定しても良い。
また、本実施の形態では１フレーム期間中で映像信号の後に非映像信号が書き込まれるよう構成したが、映像信号の前に非映像信号を書き込むように構成しても良く、その場合には１フレーム期間中で映像信号と非映像信号の極性を同じにすることによって同様の効果を得ることができる。また、本実施の形態では、映像信号を書き込んだ後の保持期間と非映像信号を書き込んだ後の保持期間とがほぼ同じ長さになるようにしたが、これに限定されるものではなく、両保持期間の長さが異なるようにしてもよい。その場合には、表示の明るさ、逆転移防止効果、及び動画表示の所謂キレ等が変わるが、いずれの場合においても信号書き込み能力が向上し、表示ムラが抑制できるという効果が得られることに変わりはない。
実施の形態２
第６図（ａ），（ｂ）は、本発明の実施の形態２に係る液晶表示装置におけるゲート信号及びソース信号の内容を示すタイミングチャートであって、第６図（ａ）はゲート信号を示すグラフ、第６図（ｂ）はソース信号を示すグラフである。第６図（ａ），（ｂ）において第２図（ａ），（ｂ）と同一符号は同一又は相当する部分を示す。
第６図（ａ），（ｂ）に示すように、本実施の形態では、実施の形態１とは異なり、ソース信号Ｓｓｎにおける映像信号１０１の極性が１フレーム期間Ｐｏ，Ｐｅ中は同じであり、これに伴って非映像信号１０２の極性も１フレーム期間Ｐｏ，Ｐｅ中は同じとなっている。その他の点は、実施の形態１と同様である。
かかる構成とすると、映像信号１０１の書き込み期間Ｐｏａ，Ｐｅａ及び非映像信号１０２の書き込み期間Ｐｏｂ，Ｐｅｂにおけるソース信号Ｓｓｎの振幅を小さくすることができるので、ソース信号Ｓｓｎの電位が各画素の目的とする信号電位へ到達する期間を短くできるとともに、ソース線５における抵抗や寄生容量による信号遅延の影響を小さくすることができる。そのため、信号書き込み能力をさらに向上することができる。また、ソース信号Ｓｓｎを供給する駆動回路６の負荷を小さくすることができる。
実施の形態３
第７図（ａ），（ｂ）は、本発明の実施の形態３に係る液晶表示装置におけるゲート信号及びソース信号の内容を示すタイミングチャートであって、第７図（ａ）はゲート信号を示すグラフ、第７図（ｂ）はソース信号を示すグラフである。第７図（ａ），（ｂ）において第２図（ａ），（ｂ）と同一符号は同一又は相当する部分を示す。
第７図（ａ），（ｂ）に示すように、本実施の形態では、実施の形態１とは異なり、１フレーム期間Ｐｏ，Ｐｅ中に、映像信号１０１の画素書き込み期間Ｐｏａ’，Ｐｅａ’が２回設けられている。この場合、後の画素書き込み期間Ｐｏａ’，Ｐｅａ’に、当該画素に本来書き込むべき映像信号１０１が書き込まれる。その他の点は、実施の形態１と同様である。
かかる構成とすると、映像信号１０１の書き込み期間を実効的に広げることができるので、映像信号１０１の書き込み能力をさらに向上することができる。
実施の形態４
第８図（ａ），（ｂ）は、本発明の実施の形態４に係る液晶表示装置におけるゲート信号及びソース信号の内容を示すタイミングチャートであって、第８図（ａ）はゲート信号を示すグラフ、第８図（ｂ）はソース信号を示すグラフである。第８図（ａ），（ｂ）において第２図（ａ），（ｂ）と同一符号は同一又は相当する部分を示す。
第８図（ａ），（ｂ）に示すように、本実施の形態では、１フレーム期間Ｐｏ，Ｐｅ中に、映像信号１０１及び非映像信号１０２の画素書き込み期間Ｐｏａ’，Ｐｅａ’，Ｐｏｂ’，Ｐｅｂ’が２回連続して設けられている。換言すれば、映像信号１０１及び非映像信号１０２の画素書き込み期間の長さが、実施の形態１のそれの２倍の長さになっている。この場合、後の画素書き込み期間Ｐｏａ’，Ｐｅａ’に、当該画素に本来書き込むべき映像信号１０１が書き込まれる。その他の点は、実施の形態１と同様である。
かかる構成とすると、実施の形態３と比べて、映像信号１０１の立ち下がり及び立ち上がり期間が減少するので、実質的な映像信号１０１の書き込み期間をさらに拡大できる。そのため、実施の形態３と比べて、映像信号１０１の書き込み能力をさらに向上することができる。
実施の形態５
第９図（ａ），（ｂ）は、本発明の実施の形態５に係る液晶表示装置におけるゲート信号及びソース信号の内容を示すタイミングチャートであって、第９図（ａ）はゲート信号を示すグラフ、第９図（ｂ）はソース信号を示すグラフである。第９図（ａ），（ｂ）において第２図（ａ），（ｂ）と同一符号は同一又は相当する部分を示す。
本実施の形態に係る液晶表示装置はカラー表示が可能なもので、その全体構成は、図示されないバックライトの光源が赤（以下、Ｒと記載する）、緑（以下、Ｇと記載する）、青（以下、Ｂと記載する）毎に発光可能な冷陰極管（図示せず）で構成されるとともにその発光のタイミングを制御する回路（図示せず）を有し、かつ第１図におけるコントローラ８、ゲート駆動回路４、及びソース駆動回路６が１フレーム期間をＲ、Ｇ、Ｂに対応させて分割するようにして、それぞれ、制御信号、ゲート信号、及びソース信号を出力するように構成されている点で実施の形態１に係る液晶表示装置と相違し、それ以外の点では実施の形態１に係る液晶表示装置と同様である。そして、このような全体構成自体は、周知であるので、その詳細な説明は省略する。
具体的には、第９図（ａ），（ｂ）に示すように、本実施の形態に係る液晶表示装置は、フィールドシーケンシャル駆動において、１フレーム期間Ｐｏ，Ｐｅを第１、第２、第３の書き込み期間（Ｐｏａ，Ｐｅａ），（Ｐｏｂ，Ｐｅｂ），（Ｐｏｃ，Ｐｅｃ）に分割し、該第１、第２、第３の書き込み期間（Ｐｏａ，Ｐｅａ），（Ｐｏｂ，Ｐｅｂ），（Ｐｏｃ，Ｐｅｃ）に、それぞれ、Ｒに対応する映像信号（以下、Ｒ映像信号という）１０１Ｒ、Ｇに対応する映像信号（以下、Ｇ映像信号という）１０１Ｇ、Ｂに対応する映像信号（以下、Ｂ映像信号という）１０１Ｂの書き込みを行う。符号Ｐｏａ’，Ｐｏｂ’，Ｐｏｃ’は、奇数フレーム期間Ｐｏの、それぞれ、Ｒ映像信号１０１Ｒの画素書き込み期間、Ｇ映像信号１０１Ｇの画素書き込み期間、Ｂ映像信号１０１Ｂの画素書き込み期間を示す。また、符号Ｐｅａ’，Ｐｅｂ’，Ｐｅｃ’は、偶数フレーム期間Ｐｅの、それぞれ、Ｒ映像信号１０１Ｒの画素書き込み期間、Ｇ映像信号１０１Ｇの画素書き込み期間、Ｂ映像信号１０１Ｂの画素書き込み期間を示す。そして、各映像信号１０１Ｒ，１０１Ｇ，１０１Ｂの極性は、各映像信号書き込み期間Ｐｏａ，Ｐｏｂ，Ｐｏｃ，Ｐｅａ，Ｐｅｂ，Ｐｅｃ中においては同じであり、かつ連続する２つの映像信号書き込み期間Ｐｏａ，Ｐｏｂ，Ｐｏｃ，Ｐｅａ，Ｐｅｂ，Ｐｅｃ毎に反転するように構成されている。
かかる構成とすると、画素へ映像信号１０１Ｒ，１０１Ｇ，１０１Ｂを書き込む時に１フレーム期間Ｐｏ，Ｐｅ中でその極性を１回しか反転させないので、同じ極性の場合には書き込むべき電位差を小さくすることができる。そのため、映像信号１０１Ｒ，１０１Ｇ，１０１Ｂ信号の書き込みが容易になる。また、ソース信号Ｓｓｎの振幅を小さくすることができるので、ソース信号Ｓｓｎの遅延による書き込み能力の低下を抑制することができる。さらに、１フレーム期間Ｐｏ，Ｐｅ中でソース信号Ｓｓｎの極性が１回は変わるため、映像の表示におけるフリッカや焼き付きを低減できる効果も得られる。以上の結果、本実施の形態では、全画面に渡ってムラやのないカラー映像の表示を行うことができた。
実施の形態６
第１０図（ａ），（ｂ）は本発明の実施の形態６に係る液晶表示装置におけるゲート信号及びソース信号の内容を示すタイミングチャートであって、第１０図（ａ）はゲート信号を示すグラフ、第１０図（ｂ）はソース信号を示すグラフである。第１０図（ａ），（ｂ）において第９図（ａ），（ｂ）と同一符号は同一又は相当する部分を示す。
本実施の形態では、実施の形態５と異なり、液晶表示装置は以下のように構成されている。すなわち、１フレーム期間Ｐｏ，Ｐｅを第１〜第４の書き込み期間（Ｐｏａ，Ｐｅａ），（Ｐｏｂ，Ｐｅｂ），（Ｐｏｃ，Ｐｅｃ），（Ｐｏｄ，Ｐｅｄ）の４つの書き込み期間に分割し、該第１〜第４の書き込み期間（Ｐｏａ，Ｐｅａ），（Ｐｏｂ，Ｐｅｂ），（Ｐｏｃ，Ｐｅｃ），（Ｐｏｄ，Ｐｅｄ）に、それぞれ、Ｒ映像信号１０１Ｒ、Ｇ映像信号１０１Ｇ、Ｂ映像信号１０１Ｂ、非映像信号１０２の書き込みを行う。また、各映像信号１０１Ｒ，１０１Ｇ，１０１Ｂ及び非映像信号１０２の極性は、各画素書き込み期間Ｐｏａ’，Ｐｏｂ’，Ｐｏｃ’，Ｐｏｄ’，Ｐｅａ’，Ｐｅｂ’，Ｐｅｃ’，Ｐｅｄ’毎、及び各映像信号書き込み期間Ｐｏａ，Ｐｏｂ，Ｐｏｃ，Ｐｅａ，Ｐｅｂ，Ｐｅｃ毎に反転している。さらに、前のフレーム期間の非映像信号１０２と次のフレーム期間の最初の映像信号１０１Ｒとで極性が同じになっている。そして、これ以外の点は、実施の形態５と同様に構成されている。
かかる構成とすることにより、非映像信号１０２が書き込まれることから、ベンド転移を行う液晶モードを用いた場合でも、フィールドシーケンシャル駆動においてスプレイ配向への逆転移を防止することができるとともに、前のフレーム期間の非映像信号１０２の極性と次のフレーム期間の映像信号１０１の極性とが同じであることから、全画面に渡るムラのないカラー映像の表示を実現することができた。
実施の形態７
第１１図（ａ），（ｂ）は本発明の実施の形態７に係る液晶表示装置におけるゲート信号及びソース信号の内容を示すタイミングチャートであって、第１１図（ａ）はゲート信号を示すグラフ、第１１図（ｂ）はソース信号を示すグラフである。第１１図（ａ），（ｂ）において第１０図（ａ），（ｂ）と同一符号は同一又は相当する部分を示す。
本実施の形態では、実施の形態６と異なり、各映像信号１０１Ｒ，１０１Ｇ，１０１Ｂ及び非映像信号１０２の極性は、各映像信号書き込み期間Ｐｏａ，Ｐｏｂ，Ｐｏｃ，Ｐｅａ，Ｐｅｂ，Ｐｅｃ内で一定であり、かつ相前後する２つのフレーム期間Ｐｏ，Ｐｅに跨って連続する４つの映像信号書き込み期間及び非映像信号書き込み期間（Ｐｏｃ，Ｐｏｄ，Ｐｅａ，Ｐｅｂ），（Ｐｅｃ，Ｐｅｄ，Ｐｏａ，Ｐｏｂ）毎に反転している。その結果、前のフレーム期間の非映像信号１０２と次のフレーム期間の最初の映像信号１０１Ｒとで極性が同じになっている。そして、これ以外の点は、実施の形態６と同様である。
かかる構成としても、実施の形態６と同様に、ベンド転移を行う液晶モードを用いた場合でも、フィールドシーケンシャル駆動においてスプレイ配向への逆転移を防止することができるとともに、全画面に渡るムラのないカラー映像の表示を実現することができた。
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
〔産業上の利用の可能性〕
本発明に係る液晶表示装置は、薄型の民生用及び産業用の画像表示装置として有用である。
本発明に係る液晶表示素子の駆動方法は、薄型の民生用及び産業用の画像表示装置の駆動方法として有用である。
【図面の簡単な説明】
第１図は、本発明の実施の形態１に係る液晶表示装置の制御系統の全体構成を示すブロック図である。
第２図（ａ），（ｂ）は、第１図の液晶表示装置におけるゲート信号及びソース信号の内容を示すタイミングチャートであって、第２図（ａ）はゲート信号を示すグラフ、第２図（ｂ）はソース信号を示すグラフである。
第３図（ａ），（ｂ）は、第１図の液晶表示装置における画素電極の電位の変化を示すグラフであって、第３図（ａ）は黒表示における変化を示すグラフ、第３図（ｂ）は白表示における変化を示すグラフである。
第４図（ａ），（ｂ）は、画素電極の電位の変化を示すグラフであって、第４（ａ）は第１図の液晶表示装置において黒表示から白表示に切り替る場合における変化を示すグラフ、第４図（ｂ）は従来例において黒表示から白表示に切り替る場合における変化を示すグラフである。
第５図は、ある画素が黒表示から白表示に切り替る場合における液晶の輝度変化を示すグラフである。
第６図（ａ），（ｂ）は、本発明の実施の形態２に係る液晶表示装置におけるゲート信号及びソース信号の内容を示すタイミングチャートであって、第６図（ａ）はゲート信号を示すグラフ、第６図（ｂ）はソース信号を示すグラフである。
第７図（ａ），（ｂ）は、本発明の実施の形態３に係る液晶表示装置におけるゲート信号及びソース信号の内容を示すタイミングチャートであって、第７図（ａ）はゲート信号を示すグラフ、第７図（ｂ）はソース信号を示すグラフである。
第８図（ａ），（ｂ）は、本発明の実施の形態４に係る液晶表示装置におけるゲート信号及びソース信号の内容を示すタイミングチャートであって、第８図（ａ）はゲート信号を示すグラフ、第８図（ｂ）はソース信号を示すグラフである。
第９図（ａ），（ｂ）は、本発明の実施の形態５に係る液晶表示装置におけるゲート信号及びソース信号の内容を示すタイミングチャートであって、第９図（ａ）はゲート信号を示すグラフ、第９図（ｂ）はソース信号を示すグラフである。
第１０図（ａ），（ｂ）は、本発明の実施の形態６に係る液晶表示装置におけるゲート信号及びソース信号の内容を示すタイミングチャートであって、第１０図（ａ）はゲート信号を示すグラフ、第１０図（ｂ）はソース信号を示すグラフである。
第１１図（ａ），（ｂ）は、本発明の実施の形態７に係る液晶表示装置におけるゲート信号及びソース信号の内容を示すタイミングチャートであって、第１１図（ａ）はゲート信号を示すグラフ、第１１図（ｂ）はソース信号を示すグラフである。
第１２図は、従来の液晶表示素子の駆動方法におけるゲート信号及びソース信号の内容を示すタイミングチャートであって、第１２図（ａ）はゲート信号を示すグラフ、第１２図（ｂ）はソース信号を示すグラフである。
第１３図は、従来の液晶表示素子において黒表示を行う場合における画素電極の電位の変化を示すグラフである。
【図１】
2002097523.tif 000003
【図２】
2002097523.tif 000004
【図３】
2002097523.tif 000005
【図４】
2002097523.tif 000006
【図５】
2002097523.tif 000007
【図６】
2002097523.tif 000008
【図７】
2002097523.tif 000009
【図８】
2002097523.tif 000010
【図９】
2002097523.tif 000011
【図１０】
2002097523.tif 000012
【図１１】
2002097523.tif 000013
【図１２】
2002097523.tif 000014
【図１３】
2002097523.tif 000015
【手続補正書】
【提出日】平成15年6月6日(2003.6.6)
【手続補正１】
【補正対象書類名】明細書
【補正対象項目名】特許請求の範囲
【補正方法】変更
【補正の内容】
【特許請求の範囲】
【請求項１】
画面を構成する複数の画素が形成された液晶表示素子と、１フレーム期間を複数の書き込み期間に分割するとともにゲート信号を出力して各書き込み期間中に上記画素を順次選択するゲート駆動手段と、該複数の書き込み期間に割り当てられた映像信号及び非映像信号を含むようにソース信号を構成し、上記選択された画素に該画素に対応する該ソース信号を極性を反転させながら書き込むソース駆動手段とを備え、該書き込まれたソース信号に対応して上記画素毎に液晶の透過率が制御されることにより上記液晶表示素子の画面に該ソース信号に応じた画像が表示されるよう構成された液晶表示装置において、
上記ソース駆動手段は、上記非映像信号を次に書き込む上記映像信号と同じ極性で上記画素に書き込むものであることを特徴とする液晶表示装置。
【請求項２】
上記ソース駆動手段は、上記複数の書き込み期間のうち、少なくとも最後の書き込み期間に上記非映像信号を上記画素に書き込むものである請求の範囲第１項記載の液晶表示装置。
【請求項３】
上記ソース駆動手段は、上記複数の書き込み期間のうち、少なくとも最初の書き込み期間に上記非映像信号を上記画素に書き込むものである請求の範囲第１項記載の液晶表示装置。
【請求項４】
上記映像信号及び非映像信号は、１フレーム期間中極性が同じである請求の範囲第１項記載の液晶表示装置。
【請求項５】
上記ゲート駆動手段は、上記複数の書き込み期間のうち、少なくとも１つの書き込み期間において、複数の期間に渡って上記画素を選択するものであり、
上記ソース駆動手段は、該選択された画素に該複数の期間に渡って上記映像信号を書き込むものである請求の範囲第１項記載の液晶表示装置。
【請求項６】
上記複数の期間が連続している請求の範囲第５項記載の液晶表示装置。
【請求項７】
上記書き込み期間が４以上であり、該４以上の書き込み期間にそれぞれ赤、緑、青の３色に対応する映像信号と少なくとも１つの非映像信号が割り当てられ、上記液晶表示素子の画面にカラー画像が表示されるよう構成された請求の範囲第１項記載の液晶表示装置。
【請求項８】
削除
【請求項９】
上記ソース駆動手段は、上記４以上の書き込み期間のうち、少なくとも最後の書き込み期間に上記非映像信号を上記画素に書き込むものである請求の範囲第７項記載の液晶表示装置。
【請求項１０】
上記ソース駆動手段は、上記４以上の書き込み期間のうち、少なくとも最初の書き込み期間に上記非映像信号を上記画素に書き込むものである請求の範囲第７項記載の液晶表示装置。
【請求項１１】
上記ソース駆動手段は、上記映像信号を各映像信号毎に極性を反転させながら上記画素へ書き込むものである請求の範囲第７項記載の液晶表示装置。
【請求項１２】
画面を構成する複数の画素が形成された液晶表示素子と、１フレーム期間を３つの書き込み期間に分割するとともにゲート信号を出力して各書き込み期間中に上記画素を順次選択するゲート駆動手段と、該３つの書き込み期間にそれぞれ割り当てられた赤、緑、青の３色に対応する映像信号でソース信号を構成し、上記選択された画素に該画素に対応する該ソース信号を極性を反転させながら書き込むソース駆動手段とを備え、該書き込まれたソース信号に対応して上記画素毎に液晶の透過率が制御されることにより上記液晶表示素子の画面に該ソース信号に応じたカラー画像が表示されるよう構成された液晶表示装置において、
上記ソース駆動手段は、連続する少なくとも２つの上記映像信号を同じ極性で上記画素に書き込むものであることを特徴とする液晶表示装置。
【請求項１３】
上記映像信号は、各フレーム期間毎に極性が反転している請求の範囲第１２項記載の液晶表示装置。
【請求項１４】
上記複数の画素が行列状に形成され、上記ゲート駆動手段が上記複数の画素を行又は列毎に順次選択するものであり、上記ソース駆動手段が該行又は列毎に選択された画素に列又は行毎に各画素に対応するソース信号を順次書き込むものである請求の範囲第１又は１２項に記載の液晶表示装置。
【請求項１５】
画面を構成する複数の画素が形成された液晶表示素子を用い、１フレーム期間を複数の書き込み期間に分割するとともにゲート信号を出力して各書き込み期間中に上記画素を順次選択するゲート駆動ステップと、該複数の書き込み期間に割り当てられた映像信号及び非映像信号を含むようにソース信号を構成し、上記選択された画素に該画素に対応する該ソース信号を極性を反転させながら書き込むソース駆動ステップとを含み、該書き込まれたソース信号に対応して上記画素毎に液晶の透過率が制御されることにより上記液晶表示素子の画面に該ソース信号に応じた画像が表示されるようにした液晶表示素子の駆動方法において、
上記ソース駆動ステップは、上記非映像信号を次に書き込む上記映像信号と同じ極性で上記画素に書き込むものであることを特徴とする液晶表示素子の駆動方法。
【請求項１６】
上記ソース駆動ステップは、上記複数の書き込み期間のうち、少なくとも最後の書き込み期間に上記非映像信号を上記画素に書き込むものである請求の範囲第１５項記載の液晶表示素子の駆動方法。
【請求項１７】
上記ソース駆動ステップは、上記複数の書き込み期間のうち、少なくとも最初の書き込み期間に上記非映像信号を上記画素に書き込むものである請求の範囲第１５項記載の液晶表示素子の駆動方法。
【請求項１８】
上記映像信号は、１フレーム期間中極性が同じである請求の範囲第１５項記載の液晶表示素子の駆動方法。
【請求項１９】
上記ゲート駆動ステップは、上記複数の書き込み期間のうち、少なくとも１つの書き込み期間において、複数の期間に渡って上記画素を選択するものであり、
上記ソース駆動ステップは、該選択された画素に該複数の期間に渡って上記映像信号を書き込むものである請求の範囲第１５乃至１８項のいずれかに記載の液晶表示素子の駆動方法。
【請求項２０】
上記複数の期間が連続している請求の範囲第１９項記載の液晶表示素子の駆動方法。
【請求項２１】
上記書き込み期間が４以上であり、該４以上の書き込み期間にそれぞれ赤、緑、青の３色に対応する映像信号と少なくとも１つの非映像信号を割り当て、上記液晶表示素子の画面にカラー画像を表示する請求の範囲第１５項記載の液晶表示素子の駆動方法。
【請求項２２】
削除
【請求項２３】
上記ソース駆動ステップは、上記４以上の書き込み期間のうち、少なくとも最後の書き込み期間に上記非映像信号を上記画素に書き込むものである請求の範囲第２１項記載の液晶表示素子の駆動方法。
【請求項２４】
上記ソース駆動ステップは、上記４以上の書き込み期間のうち、少なくとも最初の書き込み期間に上記非映像信号を上記画素に書き込むものである請求の範囲第２１項記載の液晶表示素子の駆動方法。
【請求項２５】
上記ソース駆動ステップは、上記映像信号を各映像信号毎に極性を反転させながら上記画素へ書き込むものである請求の範囲第２１項記載の液晶表示素子の駆動方法。
【請求項２６】
画面を構成する複数の画素が形成された液晶表示素子を用い、１フレーム期間を３つの書き込み期間に分割するとともにゲート信号を出力して各書き込み期間中に上記画素を順次選択するゲート駆動ステップと、該３つの書き込み期間にそれぞれ割り当てられた赤、緑、青の３色に対応する映像信号でソース信号を構成し、上記選択された画素に該画素に対応する該ソース信号を極性を反転させながら書き込むソース駆動ステップとを含み、該書き込まれたソース信号に対応して上記画素毎に液晶の透過率が制御されることにより上記液晶表示素子の画面に該ソース信号に応じたカラー画像が表示されるようにした液晶表示素子の駆動方法において、
上記ソース駆動ステップは、連続する少なくとも２つの上記映像信号を同じ極性で上記画素に書き込むものであることを特徴とする液晶表示素子の駆動方法。
【請求項２７】
上記映像信号は、各フレーム期間毎に極性が反転している請求の範囲第２６項記載の液晶表示素子の駆動方法。
【請求項２８】
上記複数の画素が行列状に形成され、上記ゲート駆動ステップが上記複数の画素を行又は列毎に順次選択するものであり、上記ソース駆動ステップが該行又は列毎に選択された画素に列又は行毎に各画素に対応するソース信号を順次書き込むものである請求の範囲第１５又は２６項に記載の液晶表示素子の駆動方法。
【国際調査報告】
2002097523.tif 000016
2002097523.tif 000017
2002097523.tif 000018
2002097523.tif 000019
2002097523.tif 000020